(57)【要約】      （修正有）【課題】ノック感が向上するとともに、確実な筆記芯の繰り出しが行うことができ、ノック操作の繰り返しによる疲労に強く、経時安定性のよい、筆記芯の繰り出しが良好なシャープペンシルを提供する。【解決手段】円筒であり、端部が拡開可能となるように円筒の端部から中央部に向かってスリットが少なくとも２個所設けられ、このスリットによって拡開可能な弾性片部２６が形成され、弾性片部にはチャック体１９を押圧する部材の係合溝と係合及びチャック体を押圧する部材の側面を係止する係合突起が形成された係止具を内蔵すると共に、スリットの幅をスリット底部より端部の方を広くした及び／または、弾性片部の肉厚をスリット底部側より端部の方を薄くした。【選択図】図５
2015189081.tif 000002
【特許請求の範囲】
【請求項１】
芯の前進は許容するが芯の後退を阻止するチャック体を使用したシャープペンシルにおいて、円筒であり、端部が拡開可能となるように円筒の端部から中央部に向かってスリットが少なくとも２個所設けられ、このスリットによって拡開可能な弾性片部が形成され、弾性片部の先端側にはチャック体を押圧する部材の係合溝部と係合及びチャック体を押圧する部材の側面を係止する係合突起が形成された係止具を内蔵すると共に、前記スリットの幅をスリット底部より端部の方を広くした及び／または、前記弾性片部の肉厚をスリット底部側より端部の方を薄くしたことを特徴とするシャープペンシル。
【請求項２】
前記スリットの幅及び／または、前記弾性片の肉厚を少なくとも２段階で変化させて弾性片部を形成したことを特徴とする請求項１に記載のシャープペンシル。
【請求項３】
前記スリットの幅及び／または、前記弾性片部の肉厚を連続的に変化させて弾性片部を形成したことを特徴とする請求項１或いは、請求項２に記載のシャープペンシル。
【請求項４】
前記弾性片部の先端側に形成される係合突起は、頂点に平面部を有する略台形形状となるように形成し、台形形状の傾斜面の角度を弾性片部前端側に比べ後端側を小さくしたことを特徴とする請求項１乃至３の何れかに記載のシャープペンシル。
【請求項５】
前記弾性片部の先端側に形成される係合突起は、頂点に平面部を有する略台形形状となるように形成し、平面部の弾性片部後端側に、弾性片部拡開後の傾斜角度と同等の角度の係止面を形成したことを特徴とする請求項１乃至３の何れかに記載のシャープペンシル。
【発明の詳細な説明】
【技術分野】
【０００１】
本発明は、芯の前進は許容するが芯の後退を阻止するチャック体を使用したシャープペンシルにおいて、円筒であり、端部が拡開可能となるように円筒の端部から中央部に向かってスリットが少なくとも２個所設けられ、このスリットによって拡開可能な弾性片部が形成され、弾性片部にはチャック体を押圧する部材の溝部と係合及びチャック体を押圧する部材の側面を係止する係合突起が形成された係止具を内蔵するシャープペンシルに関する。
【背景技術】
【０００２】
従来から、芯の前進は許容するが芯の後退を阻止するチャック体を使用したシャープペンシルにおいて、後端ノックで芯繰り出しを行う為には、ノックした時に前後動する内部部品間で、前進時と後退時で相対的な位置関係を変化させる必要があり、その為の部品として円筒の一部が拡開するようにスリットや切り欠き部を形成する構造の部品が知られている。その一例として、後端が拡開可能となるように円筒の後端側から前端側に向かってスリットが、円周の対面位置に２個所、一定の幅で設けられ、このスリットによって拡開可能な弾性片部が一定の肉厚で形成され、前記弾性片部内面には円筒内に挿入する別部材の溝部との係合連結用の係合突起が配された構造の部品がある（特開２００７−２１９６６号公報（特許文献１））
このように弾性片部を形成することで、係合突起により内包する別部材の溝部とが係合している状態と、弾性片部が拡開し係合が外れ内包する別部材を係止している状態ができ、前進時と後退時で両部品の相対的な位置関係を変化させることができる。
【０００３】
前記特許文献１では、ボールチャック機構を使用して芯が自動的に繰り出される様にした自動式シャープペンであり、ユニット体を順次組み立てることで、組み立て作業を容易にしている。
【先行技術文献】
【特許文献】
【０００４】
【特許文献１】特開２００７−２１９６６号公報
【発明の概要】
【発明が解決しようとする課題】
【０００５】
しかし、前記特許文献１に記載の従来技術にあっては、ノックした際、弾性片部を拡開し係合突起が係合溝の段差を乗り越え係合を解除する為の荷重が一度にかかり、ノックが重たく、違和感となっていた。また、係合突起が係合溝の段差を乗り越える荷重を下げようとスリット幅を全体に渡り拡張したり、弾性片部全体の肉厚を薄くすると拡開後の係止荷重も低下してしまい、内包する別部材を確実に係止することができず、前進時と後退時で両部品の相対的な位置関係を変化させることができないことから、芯の繰り出しができなくなる恐れがあった。
【課題を解決するための手段】
【０００６】
本発明は、上記問題点を鑑みてなされたものであり、芯の前進は許容するが芯の後退を阻止するチャック体を使用したシャープペンシルにおいて、円筒であり、端部が拡開可能となるように円筒の端部から中央部に向かってスリットが少なくとも２個所設けられ、このスリットによって拡開可能な弾性片部が形成され、弾性片部にはチャック体を押圧する部材の係合溝と係合及びチャック体を押圧する部材の側面を係止する係合突起が形成された係止具を内蔵すると共に、前記スリットの幅をスリット底部より端部の方を広くした及び／または、前記弾性片部の肉厚をスリット底部側より端部の方を薄くしたことを要旨とする。
【発明の効果】
【０００７】
本発明は、芯の前進は許容するが芯の後退を阻止するチャック体を使用したシャープペンシルにおいて、円筒であり、端部が拡開可能となるように円筒の端部から中央部に向かってスリットが少なくとも２個所設けられ、このスリットによって拡開可能な弾性片部が形成され、弾性片部にはチャック体を押圧する部材の係合溝と係合及びチャック体を押圧する部材の側面を係止する係合突起が形成された係止具を内蔵すると共に、前記スリットの幅をスリット底部より端部の方を広くした及び／または、前記弾性片部の肉厚をスリット底部側より端部の方を薄くしたので、チャック体を押圧して芯繰り出しを行うノック操作を行った際、弾性片部の係合突起を有する部分が先に撓むので拡開しやすく、チャック体を押圧する部材の係合溝との係合を軽い力で解除できることからノック感が向上すると共に、更に拡開した時には弾性片部における拡開支持部が撓むので強い反力が発生し、チャック体を押圧する部材との係止を実現できることから、確実な筆記芯の繰り出しが行うことができる。更に、拡開した係止時に弾性片部に発生する応力を分散することができることから、ノック操作の繰り返しによる疲労に強く、経時安定性のよい、筆記芯の繰り出しが良好なシャープペンシルを提供することができる。
【図面の簡単な説明】
【０００８】
【図１】第１実施例の製品全体の外観図である。
【図２】図１の状態から周方向に９０度回転させた際の外観図である。
【図３】図１の状態から周方向に１８０度回転させた際の外観図である。
【図４】図１の製品全体の縦断面図である。
【図５】図４における先端部拡大図である。
【図６】図４における係止具が係合状態の先端部拡大図である。
【図７】図４における係止具が係止状態の先端部拡大図である。
【図８】第１実施例の係止具の外観斜視図である。
【図９】第１実施例の係止具の半断面図である。
【図１０】第１実施例の中継部材の外観斜視図である。
【図１１】第１実施例における変形例１の係止具の半断面図である。
【図１２】第１実施例における変形例２の係止具の半断面図である。
【図１３】第２実施例の製品全体の縦断面図である。
【図１４】図１３における先端部拡大図である。
【図１５】図１３における係止具が係止状態の先端部拡大図である。
【図１６】第２実施例の係止具の外観斜視図である。
【図１７】第２実施例の係止具の半断面図である。
【図１８】図１５における係止具が係止状態の係合突起近傍の拡大図である。
【図１９】第２実施例における変形例１の係止具の半断面図である。
【発明を実施するための形態】
【０００９】
本発明は、芯の前進は許容するが芯の後退を阻止するチャック体を使用したシャープペンシルにおいて、円筒であり、端部が拡開可能となるように円筒の端部から中央部に向かってスリットが少なくとも２個所設けられ、このスリットによって拡開可能な弾性片部が形成され、弾性片部にはチャック体を押圧する部材の溝部と係合及びチャック体を押圧する部材の側面を係止する係合突起が形成された係止具を内蔵すると共に、前記スリットの幅をスリット底部より端部の方を広くした及び／または、前記弾性片部の肉厚をスリット底部側より端部の方を薄くしたので、チャック体を押圧して芯繰り出しを行うノック操作を行った際、弾性片部の係合突起を有する部分が先に撓むので拡開しやすく、チャック体を押圧する部材の溝との係合を軽い力で解除できることからノック感が向上すると共に、更に拡開した時には弾性片部における拡開支持部が撓むので強い反力が発生し、チャック体を押圧する部材との係止を実現できることから、確実な筆記芯の繰り出しが行うことができる。更に、拡開した係止時に弾性片部に発生する応力を分散することができることから、ノック操作の繰り返しによる疲労に強く、経時安定性のよい、筆記芯の繰り出しが良好なシャープペンシルを提供することができる。
【００１０】
係止具は円筒であり、端部が拡開可能となるように円筒の端部から中央部に向かってスリットが少なくとも２個所設けられ、このスリットによって拡開可能な弾性片部が形成され、弾性片部にはチャック体を押圧する部材の係合溝と係合及び弾性片部拡開時にはチャック体を押圧する部材の側面を係止する係合突起が形成されている。
【００１１】
弾性片部の係合突起を形成する部分が拡開しやすく、拡開時には弾性片部における拡開支持部で強い反力が発生し、拡開時の弾性片部に発生する応力を分散する為の手段として、スリットの幅をスリット底部より端部を広くしたり、弾性片部の肉厚をスリット底部側である弾性片部における拡開支持部より弾性片部端部を薄くする方法が挙げられる。その幅及び／または肉厚の変化は２段以上の段部で構成しても、連続的に変化していく構成にしてもよい。また、段部を形成する際には、スリット底部及び段部に形成される角部は面取りまたは、Ｒ形状にすることで、拡開時の応力集中を緩和し、係止具の破損を防ぐことができる。
【００１２】
弾性片部に形成される係合突起は頂点に平面部を有する略台形形状とし、あわせてチャック体を押圧する中継部材の外周面に設けられた係合溝は、係合突起に形成された平面部の部品軸線方向の長さよりも、開口部が長い略三角形状としている。この様に係合突起と係合溝を形成することで、係合突起が係合溝に入り込みやすくなり、更に、係合突起外面と係合溝内面を密接させることができ、係合時のガタを低減することができる。これに限らず、係合突起の頂点をＲ状にしたり、係合溝の頂点に平面部を形成する、または、頂点をＲ状にするなどし、金型や切削工具への成形時の負荷を無くし生産性を上げることができる。つまり、係合突起と係合溝により、係止具と中継部材を係合することができれば適宜それぞれの形状は選択することができる。
【００１３】
弾性片部に形成される係合突起は頂点に平面部を有する略台形形状となるように形成している。この様に係合突起を形成することで、係合突起における成形時の材料の流れを円滑にでき、成形後に係合突起に残る残留応力を軽減できる為、繰り返しの係合解除による疲労に強く、経時安定性のよい製品を提供することができる。また、ノックにより、弾性片部を拡開させ係止具と中継部材の係合を解除する為に係合突起が中継部材係合溝の段差を乗り越える際には、係合突起を略台形形状とし、中継部材係合溝の段差と接する個所を傾斜面とすることで弾性片部に徐々に拡開する力が加わり、円滑に弾性片部を拡開することができる。これに限らず、段差と接する台形形状の傾斜面の傾斜角度を小さくし、特に弾性片部前端側に比べ後端側を小さくすることで、更に円滑に弾性片部を拡開することができる。また、係合突起略台形形状の弾性片部後端側の傾斜面の角度を、弾性片部拡開後の傾斜角度と同等に形成することで、弾性片部拡開時に中継部材外周側面と接して係止する係合突起にかかる応力が傾斜面全体に分散され、繰り返しの使用による負荷を軽減でき、経時安定性のよい製品を提供することができる。
【００１４】
係止具の材質は、拡開可能な弾性片部を形成することができればよく、特に限定されない。望ましくはヤング率が１．０ＧＰａ以上〜１０．０ＧＰａ未満の材質を使用するのがよく、１．０ＧＰａ未満の場合は弾性片部の弾性が弱く内包する中継部材を確実に係止することができず、芯の繰り出しができなくなる恐れがある。また、１０．０ＧＰａ以上の場合は弾性片部の弾性が強く、係合突起が中継部材係合溝の段差を乗り越える荷重が増加してしまい、ノック感が悪くなる恐れがある。前記ヤング率を有する材質の具体的な例としては、ポリ塩化ビニル（ＰＶＣ）やポリ塩化ビニリデン（ＰＶＤＣ）、ポリエチレン樹脂（ＰＥ）、ポリプロピレン樹脂（ＰＰ）、ポリスチレン樹脂（ＰＳ）、アクリロニトリルスチレン樹脂（ＡＳ）、アクリロニトリルスチレンブタジエン樹脂（ＡＢＳ）、メタクリル樹脂（ＰＭＭＡ）、ポリアセタール樹脂（ＰＯＭ）、ポリアミド樹脂（ＰＡ）、ポリカーボネート樹脂（ＰＣ）、ポリエチレンテレンテレフタレート樹脂（ＰＥＴ）などの樹脂材料が挙げられるが、この例に限らず、前述したヤング率を有する材質であれば適宜使用することができる。
【００１５】
係止具の材質にポリアセタール樹脂（ＰＯＭ）を使用した際には、係止具に内包される中継部材の材質にはポリプロピレン樹脂（ＰＰ）を使用する等、係止具と中継部材は互いに異なる材質を使用することで、係合突起や係合溝、それらの周辺など摺動部の摩耗を低減することができる為、繰り返しの使用による負荷を軽減でき、経時安定性のよい製品を提供することができる。また、上記に加え、摺動部の外面をシボ加工にしたり、潤滑材を塗布するなどして摩耗を軽減させてもよい。
【００１６】
本発明の第１実施例を図１〜図１０に示し、説明する。尚、以下では、後述の先部材側を前方と言い、押圧部材側を後方という。
【００１７】
軸筒１の前方には、内部に圧入固定された先端リング２と先端スプリング３により前方に付勢され、前後に摺動可能なスライダー４を有する先部材５が、前軸６と後軸７から構成された軸筒本体８にネジ螺合により連結されている。前記軸筒本体８内部には芯繰り出しユニット９がクッションスプリング１０により前方に付勢するように配され、使用時に高い筆圧がかかった際に前記クッションスプリング１０が伸縮し、筆記芯Ｌに対する衝撃を緩和している。また、後軸７後方に形成された縮径部１１にはクリップ１２が嵌め込まれている。
【００１８】
前記スライダー４は、前方にステンレス製のパイプ１３と内部に芯保持部材１４を圧入固定し、外部にＯリング１５が装着されている。筆記の際は、筆記芯Ｌの摩耗によってパイプ１３が紙面に触れた場合でも、筆記による筆記芯の摩耗と共に筆圧によってパイプ１３が紙面に押されて後方へと後退する為、筆記を継続でき、パイプ１３を紙面から離すと前記先端スプリング３によりスライダー４が前進する。後述する芯の前進は許容するが後退は阻止するように芯を把持できるチャック体１９と併用することで、先端スプリング３によりスライダー４が前進する際、芯保持部材１４に保持された筆記芯Ｌを常にパイプ１３の先端まで引き抜くことができる為、持ち替えて後端押圧部材４０をノックせずとも筆記芯Ｌが筆記状態を維持できることから連続した筆記が可能となる。また、携帯時には、Ｏリング１５によりスライダー４を先端リング２内部に、嵌合させ前後の移動を停止することで不意の芯出を防止することができる。再度使用する際は、芯繰り出しユニット９によりスライダー４後端を押し、Ｏリング１５の嵌合を解除することで、スライダー４が前進し、筆記可能となる。
【００１９】
前述した通り、筆記芯の前端面がパイプの前端面と略同位置となった状態や、当初パイプの前端面よりも突出していた筆記芯が摩耗により、筆記芯の前端面がパイプの前端面と略同位置となった状態でも筆記による芯の摩耗と共に筆圧によってパイプが紙面に押されて後方へと後退する為、筆記を継続することができる。この構成は筆記芯の芯径が細い場合、具体的には、呼び直径が０．３ｍｍ、０．２ｍｍやそれ以下の直径の芯に対して特に有効である。筆記芯をパイプから突出させず、筆記芯がパイプでガイドされた状態での筆記が可能となり、筆記時の筆圧変化や、筆記芯が紙面へひっかかった際にも筆記芯の折損を防止することができる。
【００２０】
芯繰り出しユニット９は、前方にチャックセット１６を有し、該チャックセット１６には前方に向けて拡径するテーパ部１８を形成するリング１７を設け、リング１７内部には前方内面に芯噛み部４１を有するチャック体１９が配され、前記テーパ部１８とチャック体１９に形成されたボール受け座２０の間にボール２２を挿入している。また、前記チャック体１９の後端に形成した鍔部２１とリング内段の間に配設したチャックスプリング２３により、チャック体１９を後方に付勢することで、リング１７とチャック体１９の間にボール２２を介してくさび効果が発生し、芯の前進は許容するが後退は阻止することができる。リング１７の前方には、チャックストッパー２４がカシメにより固定され、チャック体１９及びボール２２が脱落しないようにしてある。
【００２１】
前記チャックセット１６後方には、頂点に平面部２８を有する略台形形状とした係止突起２７が形成された弾性片部２６を有し、後端が拡開可能な係止具２５が圧入されている。係止具２５内部には、前端に大径部３０を形成し、大径部３０後端面と係止具前端面を当接させると共に、後方外周面には前記係合突起２７と係合し、係合突起２７に形成された平面部２８の部品軸線方向の長さよりも、開口部３２が長い略三角形状の係合溝３１を設けた中継部材２９を内包している。中継部材２９内部には内径を挿通させる筆記芯１本以上で２本未満とした芯ガイドパイプ３４を配設することで、中継部材２９後方に圧入され筆記芯Ｌを収納する芯タンク３５から、チャック体１９まで確実に筆記芯Ｌを挿通させることができる。また、中継部材２９後方であり芯ガイドパイプ３４と、芯タンク３５の間に筆記芯が１本しか通らず、かつ芯ガイドパイプ３４内径よりも小となるように芯挿通孔３３を設けることで、芯タンク３５から芯ガイドパイプ３４まで確実に筆記芯を１本だけ挿通することができる。チャックセット１６及び係止具２５、中継部材２９は、中子３６を介し芯タンク３５と中子３６の間に配設されたノックスプリング３７により後方に付勢されている。また、芯タンク３５後端には消しゴム受け部材３８が圧挿され、前記消しゴム受け部材３８には消しゴム３９、そして、押圧部材４０が着脱自在に取り付けられている。
【００２２】
次に、後端押圧部材４０のノックによる芯繰り出し操作について説明する。
１本目の筆記芯Ｌを繰り出す際は、まず軸筒前方を重力方向に向けることで、芯タンク３５に収納された筆記芯Ｌが、チャック体１９の芯噛み部４１まで自重で落下する。前述した、芯ガイドパイプ３４及び中継部材２９に形成した芯挿通孔３３を配設したことで１本の筆記芯Ｌを確実にチャック体１９の芯噛み部４１まで挿通することができる。
【００２３】
次に押圧部材４０を軸筒１前方方向にノックし始めると芯タンク３５と共に、芯タンク前方に圧入された中継部材２９も前進する。この時、中継部材２９に形成された係合溝３１と係止具２５における弾性片部２６内面に形成された係合突起２７は係合状態となっており、係止具２５及び係止具２５前端に圧入固定されているチャックセット１６は、先端リング２後端にチャックセット１６前端が当接するまで中継部材と同体となって前進する。この時スライダー４が収納された状態であれば、スライダー４後端にチャックセット１６前端が当接しスライダー４を前方に押し出すことで、先端リング２内部に嵌合されていたＯリング１５の嵌合から解放され、先端スプリング３の弾発力によりスライダー４が前方に付勢される。
【００２４】
チャックセット１６前端が先端リング２後端に当接して、係止具２５及びチャックセット１６の移動が停止しても、係止具２５の後端は拡開可能な為、ノックを続けることで、係止具２５における弾性片部２６は押圧部材４０を軸筒１前方方向にノックする荷重（以後、ノック荷重とする）により外側に撓み中継部材２９との係合が解除され、芯タンク３５と中継部材２９のみ前進が可能となり、係止具２５及びチャックセット１６は停止しているが、芯タンク３５と中継部材２９は前進するという相対的な動きの差を付けることができる。
【００２５】
更にノックを続けると、中継部材２９の前端でチャック体１９の後端を押圧し、チャック体１９を前進させることでチャック体１９の芯噛み部４１が拡開し、筆記芯Ｌはスライダー４内の芯保持部材１４における芯保持部４２後端まで自重落下する。ノックによる中継部材２９と芯タンク３５の前進は、芯タンク３５前端と係止具２５後端が当接した時点で終了となる。
【００２６】
押圧部材４０への押圧を解除すると、中継部材２９と芯タンク３５はノックスプリング３７により後退する。この時、係止具２５の弾性片部２６により中継部材２９を挟持している為、中継部材２９と係止具２５は係止状態となっており、係止具２５が中子３６内段に当接し、移動が停止するまで中継部材２９と係止具２５及びチャックセット１６は同体となって後退する。係止具２５が中子３６内段に当接するまでの間、チャック体１９は中継部材２９に押圧され拡開した状態となっている。
【００２７】
係止具２５が中子３６内段に当接後、中継部材２９と芯タンク３５が後退することでチャック体１９への押圧も解除され、チャックスプリング２３によりチャック体１９が閉じ、くさび効果が発生するので芯噛み状態となる。その後、中継部材２９と芯タンク３５は更に後退し、中継部材２９に形成された係合溝３１と係止具２５における弾性片部２６内面に形成された係合突起２７が再度係合状態となったと同時に中継部材２９の大径部３０後端が、係止具２５前端に当接して、全ての後退が終了する。
【００２８】
ここで、中継部材２９と係止具２５の係止状態における係止力が、軸筒１前方を重力方向に向けた際のチャックセット１６の自重及び係止具２５の自重により発生する荷重よりも弱く、十分でない場合、係止具２５とチャックセット１６が後退する前に中継部材２９と芯タンク３５のみが後退してしまい、同時にチャック体１９も後退してしまう為、この時点で芯噛み状態となる。その後、中継部材２９の大径部３０後端が、係止具２５前端に当接し係止具２５とチャックセット１６の後退が始まるが、筆記芯Ｌはチャック体１９により把持されている為、一体となって後退してしまう。つまり、係止具２５が中子３６内段に当接し、係止具２５とチャックセット１６の後退が終了するまでの距離分、筆記芯Ｌ先端と芯保持部材１４との間に隙間が発生してしまい、筆記芯Ｌの繰り出しに時間を要してしまう。更に、部品寸法や組立時のばらつき等により芯繰り出し量が前記隙間よりも短くなってしまった場合、芯保持部材１４内に筆記芯Ｌを挿通させることができず、芯の繰り出しができなくなってしまう。
【００２９】
この後、再度ノックによる芯繰り出し操作を行い、係止具２５と中継部材２９が係合した状態で、芯噛み状態のチャック体１９をチャックセット１６ごと前進させることで芯保持部材１４に筆記芯Ｌを挿入し、係止具２５と中継部材２９の係合解除による係止具２５と中継部材２９及び芯タンク３５の相対的な動きの差を利用して、更にチャック体１９を前進させてチャック体１９を拡開した後、中継部材２９と係止具２５が係止状態のまま後退することで、チャック体１９の拡開状態を保ちながらチャックセット１６を後退させる。係止具２５が中子３６内段に当接後、中継部材２９と芯タンク３５のみが後退することでチャック体１９への押圧も解除され、チャックスプリング２３によりチャック体１９が閉じ、再度芯噛み状態となり筆記芯Ｌ先端は芯保持部材１４内の前進位置にとどまるので筆記可能状態に近づく。
【００３０】
ここで、中継部材２９と係止具２５の係合状態における係合力が、ノックスプリング３７の荷重より弱く十分でない場合、ノックを始めた段階で中継部材２９と係止具２５の係合が外れてしまいチャックセット１６を前進させることができず、筆記芯Ｌの位置が変わらないままチャック体１９の開閉を行うことになり、芯の繰り出しができなくなってしまう。
【００３１】
更に、中継部材２９と係止具２５の係止状態における係止力が、軸筒１前方を重力方向に向けた際のチャックセット１６の自重及び係止具２５の自重により発生する荷重よりも弱く、十分でない場合、係止具２５とチャックセット１６が後退する前に中継部材２９と芯タンク３５のみが後退してしまい、同時にチャック体１９も後退してしまう為、この時点で芯噛み状態となる。その後、中継部材２９の大径部３０後端が、係止具２５前端に当接し係止具２５とチャックセット１６の後退が始まるが、筆記芯Ｌは芯保持部材１４により保持されている為、前進位置にとどまり、チャック体１９のみ係止具２５及びチャックセット１６と一体となって後退してしまう。つまり、係止具２５が中子３６内段に当接し、係止具２５とチャックセット１６の後退が終了するまでの距離分、筆記芯Ｌはチャック体１９から引き抜かれることになり、筆記芯Ｌの摩耗により摩耗粉が発生する。発生した摩耗粉はチャック体１９芯噛み部４１に付着してしまい、繰り返しのノックにより、多量に発生、付着した場合には筆記芯Ｌが滑りやすくなり、チャックセット１６前進時にチャック体１９が筆記芯Ｌを把持できず、芯の繰り出しができなくなる恐れがある。また、筆記中の筆圧に耐えられず筆記芯が引っ込んでしまう恐れもある。
【００３２】
前述した後端押圧部材４０のノックによる芯繰り出し操作において、係止具２５は芯繰り出しユニット９の前進及び後退でチャックセット１６と中継部材２９に相対的な動きの差をつける役目を担っており、更に、繰り出し操作中におけるノック感に与える影響も大きい。
【００３３】
詳述すると、押圧部材４０を軸筒１前方方向にノックし始めると芯タンク３５と共に、芯タンク３５前方に圧入された中継部材２９も前進する。この時、中継部材２９に形成された係合溝３１と係止具２５における弾性片部２６内面に形成された係合突起２７は係合状態となっており、係止具２５及び係止具２５前端に圧入固定されているチャックセット１６は、先端リング２後端にチャックセット１６前端が当接するまで中継部材２９と同様に前進する。ここで、係止具２５に求められる係合力は、ノックスプリング２７の荷重より強い必要がある。前述した通り、係合力がノックスプリング２７の荷重より弱いと、ノックをした段階で係合が外れてしまい、チャックセット１６が中継部材２９と一体となって前進することができず筆記芯Ｌも繰り出すことができなくなってしまう。この段階では、係止具２５における弾性片部２６は閉じた状態となっており、中継部材２９とは同体であり係合状態となっている。また、ノック荷重はノックスプリング３７の荷重のみとなっている。
【００３４】
次にチャックセット１６前端が先端リング２後端に当接し、係止具２５及びチャックセット１６の移動が停止する。更にノックを続け、ノック荷重が係止具２５の係合力を上回った段階で、係止具２５に形成された弾性片部２６には外側に向け撓む力が発生することで、係止具２５後端が拡開し、弾性片部２６内面に形成された係合突起２７が、中継部材２９に形成された係合溝３１を乗り越え係合が解除され、芯タンク３５と中継部材２９のみ前進が可能となる。この段階では、係止具２５における弾性片部２６は閉じた状態から拡開した状態に移っている。また、ノック荷重にはノックスプリング３７の荷重に加え、弾性片部２６を拡開する為の荷重が付加される。つまり、弾性片部２６を拡開する為の荷重を最小限にすることでノック荷重の急な上昇を避けることができ、ノック感の向上に繋がる。
【００３５】
更にノックを続けると、係止具２５による係合が解除された状態で、芯タンク３５と中継部材２９のみ前進が可能となり中継部材２９の前端でチャック体１９の後端を押圧し、チャック体１９を前進させることでチャック体１９の芯噛み部４１を拡開することができる。ノックによる中継部材２９と芯タンク３５の前進は、芯タンク３５前端と係止具２５後端が当接した時点で終了となる。この段階では、係止具２５における弾性片部２６は完全に拡開した状態となっており、ノック動作が終了するまでの間、中継部材２９とは相対的位置が変化する。また、中継部材２９の前進は許容するが、弾性片部２６により中継部材２９を挟持した状態となっている。ノック荷重にはノックスプリング３７の荷重に加え、弾性片部２６が中継部材２９を挟持していることによる摩擦抵抗が付加される。弾性片部２６により中継部材２９を挟持し摩擦抵抗を発生させることで、弾性片部２６を拡開する為に発生した荷重からノック荷重の急な減少を軽減することができ、荷重変化の少ない滑らかなノック感にすることができる。
【００３６】
次に、押圧部材４０への押圧を解除すると、中継部材２９と芯タンク３５はノックスプリング３７により後退する。この時、係止具２５における弾性片部２６は完全に拡開し、中継部材２９を挟持した状態は継続しており、中継部材２９と係止具２５は係止状態となっている。よって、係止具２５が中子３６内段に当接し移動が停止するまで、中継部材２９と係止具２５及びチャックセット１６はノック前とは相対的位置が変化した状態のまま同体となって後退する。ここで、係止具２５に求められる係止力は、軸筒１前方を重力方向に向けた際のチャックセット１６の自重及び係止具２５の自重により発生する荷重より強い必要がある。前述した通り、係止力がチャックセット１６の自重及び係止具２５の自重により発生する荷重より弱いと、係止具２５とチャックセット１６が後退する前に中継部材２９と芯タンク３５のみが後退してしまい、同時にチャック体１９も後退してしまう為、係止具２５の後退が終了する前に芯噛み状態となってしまい、筆記芯Ｌの繰り出しにノック回数の増加や、芯の繰り出し不能、また筆記中の筆圧に耐えられず芯が引っ込んでしまうなどの問題が発生してしまう恐れがある。
【００３７】
後退した係止具２５が中子３６内段に当接後、中継部材２９と芯タンク３５のみが後退することでチャック体１９への押圧も解除され、チャックスプリング２３によりチャック体１９が閉じ、くさび効果が発生するので芯噛み状態となる。この段階では、係止具２５における弾性片部２６は完全に拡開した状態となっており、中継部材２９と芯タンク３５の後退が完全に終了するまでの間、中継部材２９とは相対的位置が変化する。また、中継部材２９の後退は許容するが、弾性片部２６により中継部材２９を挟持した状態となっている。つまり、弾性片部２６が中継部材２９を挟持していることによる摩擦抵抗はノックスプリング３７による中継部材２９と芯タンク３５を後退させる荷重よりも弱い必要がある。
【００３８】
最後に、中継部材２９と芯タンク３５が更に後退し、中継部材２９に形成された係合溝３１と係止具２５における弾性片部２６内面に形成された係合突起２７が再度係合状態となったと同時に中継部材２９の大径部３０後端が、係止具２５前端に当接しすべての後退が終了となる。この段階では、係止具２５における弾性片部２６は閉じた状態となり、中継部材２９とは初期と同様に同体となっている。
【００３９】
上記ノック動作を繰り返すことで、筆記芯Ｌが芯保持部材１４を挿通し、パイプ１３先端及びそれ以上に繰り出すことができ、筆記可能状態となる。筆記の際は、前述したスライダー４の前後動により、後端押圧部材４０をノックせずとも筆記状態を維持できることから連続した筆記が可能となる。また、残芯状態となった場合は再度、後端押圧部材４０ノック動作を繰り返すことで残芯を排出し、筆記可能状態へ戻ることができる。
【００４０】
第１実施例の係止具２５は、後端が拡開可能となるように円筒の後端側から前端側に向かってスリット４３が円周の対面位置に２個所設けられ、このスリット４３によって拡開可能な弾性片部２６が形成されている。前記弾性片部２６はスリット４３底部である拡開支持部４４から始まる第１スリット部４５により形成される第１弾性片部４６と、第１スリット部４５より幅を拡張した第２スリット部４７により形成される第２弾性片部４８から構成され、第２弾性片部４８の内面には円筒内に挿入する中継部材２９との係合連結用の係合突起２７が配されている。本実施例ではスリットを係止具後端側から形成しているが、他の部品の構成によっては係止具前端側からや、中間部に形成することも可能である。また、スリットは２個所としているが、弾性片部が前進時と後退時で係止具と中継部材の相対的な位置関係を変化させる荷重を発揮できればよく、その数は適宜設定すればよい。
【００４１】
このようにスリット４３を形成することで、第１弾性片部４６に比べ、第２弾性片部４８が撓みやすくなる為、拡開初期は第２弾性片部４８が先に撓むことで、係合突起２７が中継部材２９に設けられた係合溝３１の段差を乗り越える荷重を下げることができるので、ノックした際の抵抗が減少し、ノック感が向上する。拡開が進むと第１弾性片部４６が撓むことで弾性片部２６全体の反力が向上し中継部材２９を係止することができるので、確実な芯の繰り出しが行える。また、拡開係止時に発生する応力を第１弾性片部４６と第２弾性片部４８に分散することができ繰り返しの係合解除による疲労に強く、経時安定性のよい製品を提供することができる。
【００４２】
本実施例において、第２弾性片部４８に形成される係合突起２７は頂点に平面部２８を有する略台形形状とし、あわせて、チャック体１９を押圧する中継部材２９の係合溝３１は、係合突起２７に形成された平面部２８の部品軸線方向の長さよりも、開口部３２が長い略三角形状としている。この様に係合突起２７と係合溝３１を形成することで、係合突起２７が係合溝３１に入り込みやすくなり、更に、係合突起２７外面と係合溝３１内面を密接させることができ、係合時のガタを低減することができる。これに限らず、係合突起２７の頂点をＲ状にしたり、係合溝３１の頂点に平面部を形成する、または、頂点をＲ状にするなどし、金型や切削工具への成形時の負荷を無くし生産性を上げることができる。つまり、係合突起２７と係合溝３１により、係止具２５と中継部材２９を係合することができればよく、それぞれの形状は適宜選択することができる。
【００４３】
また、第２弾性片部４８に形成される係合突起２７は頂点に平面部２８を有する略台形形状となるように形成している。この様に係合突起２７を形成することで、係合突起２７部における成形時の材料の流れを円滑にでき、成形後に係合突起２７部に残る残留応力を軽減でき繰り返しの係合解除による疲労に強く、経時安定性のよい製品を提供することができる。また、ノックをし、弾性片部２７を拡開させ係止具２５と中継部材２９の係合を解除する為に係合突起２７が中継部材２９における係合溝３１の段差を乗り越える際、係合突起２７を略台形形状とし、中継部材２９における係合溝３１の段差と接する個所を傾斜面とすることで弾性片部２６に徐々に拡開する力が加わり、円滑に弾性片部２６を拡開することができる。
【００４４】
第１実施例の変形例１として、図１１に示すように係止具２５における第２弾性片部４８に形成される係合突起２７が配された個所の円筒外周面に係合突起の形状と相似となる溝部４９を形成し、第２弾性片部４８内での肉厚がほぼ均一になるように形成してもよい。第１弾性片部４６に比べ、第２弾性片部４８が撓みやすくなる為、拡開初期は第２弾性片部４８が先に撓むことで、係合突起２７が中継部材２９に設けられた係合溝３１の段差を乗り越える荷重を下げることができるので、ノックした際の抵抗が減少し、ノック感が向上する。拡開が進むと第１弾性片部４６が撓むことで弾性片部２６全体の反力が向上し中継部材２９を係止することができるので、確実な芯の繰り出しが行える。また、拡開係止時に発生する応力を第１弾性片部４６と第２弾性片部４８に分散することができ繰り返しの係合解除による疲労に強く、経時安定性のよい製品を提供することができると共に、第２弾性片部４８内での肉厚を均一にしたことで、成形時に突起が配された個所の円筒外周面に発生するヒケを防止することができ、係合突起２７の形状のばらつきを抑制することができる。
【００４５】
更に、第１実施例の変形例２として、図１２に示すように係止具２５の後端が拡開可能となるように円筒の後端側から前端側に向かって設けたスリット４３を、スリット４３の拡開支持部４４から円筒後端に向かって徐々に拡張する一連の曲線により形成した例をあげる。これに限らず、スリット４３の拡開支持部４４から円筒後端に向かって徐々に拡張する一連の直線により形成してもよく、スリット４３の拡開支持部４４から円筒後端に向かい拡張する一連のスリット４３を形成することで同様の効果を得ることができる。
【００４６】
第１実施例における変形例２の係止具２５は、後端が拡開可能となるように円筒の後端側から前端側に向かってスリット４３が円周の対面位置に２個所設けられ、このスリット４３によって拡開可能な弾性片部２６が形成されている。前記弾性片部２６はスリット４３の拡開支持部４４から円筒後端側に向けて徐々に拡張する一連の曲線により形成され、弾性片部２６後端近傍の内面には円筒内に挿入する中継部材２９との係合連結用の係合突起２７が配されている。
【００４７】
このようにスリット４３を形成することで、拡開支持部４４近傍に比べ、係合突起２７形成部近傍が撓みやすくなる為、弾性片部２６の拡開初期は係合突起２７形成部近傍が先に撓むことで、係合突起２７が中継部材２９における係合溝３１の段差を乗り越える荷重を下げることができ、ノックした際の抵抗が減少する為、ノック感が向上する。また、拡開が進むと拡開支持部４４近傍が撓むことで弾性片部２６全体の反力が向上し、係合突起２７によって中継部材２９を係止することができ、確実な芯の繰り出しが行える。また、係止時に弾性片部２６やその周辺に発生する応力を拡開支持部４４近傍から係合突起２７形成部近傍にかけて分散することができる。更に、一連の曲線により形成することで、成形時の材料の流れがよくなり残留応力を軽減でき、繰り返しの係止解除による疲労にも強く、経時安定性のよい製品を提供することができる。
【００４８】
本発明の第２実施例を図１３〜図１８に示し、説明する。第２実施例の係止具２５は、弾性片部２６が形成される部分の外径は同一であり、弾性片部２６先端側の内径を弾性片部２６拡開支持部４４側の内径より若干大きくすることで、弾性片部２６の円筒軸線方向の断面肉厚が変化した係止具２５であり、係止具２５後端が拡開可能となるように円筒の後端側から前端側に向かって肉厚変化部を越える長さで一定幅のスリット４３が円周の対面位置に２個所設けられ、このスリット４３によって拡開可能な弾性片部２６が形成されている。前記弾性片部２６はスリット４３の拡開支持部４４から始まる厚肉部５０と後端側の肉厚が減少した薄肉部５１から構成され、薄肉部５１の内面には円筒内に挿入する中継部材２９との係合連結用の係合突起２７が配されている。
【００４９】
このように弾性片部２６を形成することで、厚肉部５０に比べ、薄肉部５１が撓みやすくなり、更に、変形方向の肉厚を減少させたことで弾性片部２６の拡開初期は薄肉部５１が先に撓み、係合突起２７が中継部材２９に設けられた係合溝３１の段差を乗り越える荷重を下げることができるので、ノックした際の抵抗が減少し、ノック感が向上する。また、拡開が進むと厚肉部５０が撓むことで弾性片部２６全体の反力が向上し中継部材２９を係止することができるので、確実な芯の繰り出しが行える。また、拡開係止時に発生する応力を厚肉部５０と薄肉部５１に分散することができ、繰り返しの係合解除による疲労に強く、経時安定性のよい製品を提供することができる。
【００５０】
本実施例において、弾性片部２６に形成される係合突起２７は頂点に平面部２８を有する略台形形状となるように形成している。この様に係合突起２７を形成することで、係合突起２７部における成形時の材料の流れを円滑にでき、成形後に係合突起２７部に残る残留応力を軽減でき繰り返しの係合解除による疲労に強く、経時安定性のよい製品を提供することができる。更に、平面部２８の弾性片部２６後端側に、弾性片部２６拡開後の傾斜角度と同等の角度の係止面５２を形成することで、弾性片部２６拡開時に中継部材２９外周側面と係止面５２が面で接する為、接して係止する係合突起２７後端にかかる応力が係止面５２全体に分散され、繰り返しの使用による負荷を軽減でき、経時安定性のよい製品を提供することができる。
【００５１】
第２実施例の変形例１として、図１９に示すように弾性片部２６が形成される部分の外径は同一であり、後端側の内径を後端側に向けて拡張する一連の曲面により前端側の内径より若干大きくすることで、円筒軸線方向の断面肉厚が後端側と前端側で変化した円筒の例をあげる。これに限らず、後端側に向けて拡張する一連の平面により前端側の内径より若干大きくしてもよく、更に、内径を同一とし、  後端側の外径を後端側に向けて縮小する一連の曲面により前端側の外径より若干小さくしてもよい。いずれも、円筒軸線方向の断面肉厚が後端側と前端側で変化した円筒を形成することで同様の効果を得ることができる。
【００５２】
第２実施例における変形例１の係止具２５は、弾性片部２６が形成される部分の外径は同一であり、後端側の内径を後端側に向けて徐々に拡張する一連の曲面により前端側の内径より若干大きくすることで、円筒軸線方向の断面肉厚が後端側と前端側で変化した円筒であり、後端が拡開可能となるように円筒の後端側から前端側に向かって肉厚変化部を越える長さで一定幅のスリット４３が円周の対面位置に２個所設けられ、このスリット４３によって拡開可能な弾性片部２６が形成されており、弾性片部２６後端近傍の内面には円筒内に挿入する中継部材２９との係合連結用の係合突起２７が配されている。
【００５３】
このように弾性片部２６を形成することで、拡開支持部４４近傍に比べ、係合突起２７形成部近傍が撓みやすくなり、弾性片部２６の拡開初期は係合突起２７形成部近傍が先に撓み、係合突起２７が中継部材２９における係合溝３１の段差を乗り越える荷重をより確実に下げることができ、ノックした際の抵抗が減少する為、ノック感が向上する。また、拡開が進むと拡開支持部４４近傍が撓むことで弾性片部２６全体の反力が向上し、係合突起２７によって中継部材２９を係止することができ、確実な芯の繰り出しが行える。また、係止時に弾性片部２６やその周辺に発生する応力を拡開支持部４４近傍から係合突起２７形成部近傍にかけて分散することができる。更に、一連の曲面により形成することで、成形時の材料の流れがよくなり残留応力を軽減でき、繰り返しの係合解除による疲労に強く、経時安定性のよい製品を提供することができる。平面部２８の弾性片部２６後端側に、弾性片部２６拡開後の傾斜角度と同等の角度の係止面５２を形成することで、弾性片部２６拡開時に中継部材２９外周側面と接して係止する係合突起２７後端にかかる応力が係止面５２全体に分散され、繰り返しの使用による負荷を軽減でき、経時安定性のよい製品を提供することができる。
【００５４】
比較例として係止具２５は、後端が拡開可能となるように円筒の後端側から前端側に向かってスリット４３が、円周の対面位置に２個所、一定の幅で設けられ、このスリット４３によって拡開可能な弾性片部２６が一定の肉厚で形成されている。前記弾性片部２６内面には円筒内に挿入する中継部材２９との係合連結用の係合突起２７が配されている。
【００５５】
このように形成された弾性片部２６では撓みやすい個所がなく、ノックした際に弾性片部２６を拡開し係合を解除する為に、係合突起２７が中継部材２９における係合溝３１の段差を乗り越える荷重が一度にかかってしまうことから、ノックが重たく、違和感となっている。
【符号の説明】
【００５６】
１      軸筒
２      先端リング
３      先端スプリング
４      スライダー
５      先部材
６      前軸
７      後軸
８      軸筒本体
９      芯繰り出しユニット
１０    クッションスプリング
１１    縮径部
１２    クリップ
１３    パイプ
１４    芯保持部材
１５    Ｏリング
１６    チャックセット
１７    リング
１８    テーパ部
１９    チャック体
２０    ボール受け座
２１    鍔部
２２    ボール
２３    チャックスプリング
２４    チャックストッパー
２５    係止具
２６    弾性片部
２７    係合突起
２８    平面部
２９    中継部材
３０    大径部
３１    係合溝
３２    開口部
３３    芯挿通孔
３４    芯ガイドパイプ
３５    芯タンク
３６    中子
３７    ノックスプリング
３８    消しゴム受け部材
３９    消しゴム
４０    押圧部材
４１    芯噛み部
４２    芯保持部
４３    スリット
４４    拡開支持部
４５    第１スリット部
４６    第１弾性片部
４７    第２スリット部
４８    第２弾性片部
４９    溝部
５０    肉厚部
５１    薄肉部
５２    係止面
Ｌ    筆記芯  
【図１】
2015189081.tif 000003
【図２】
2015189081.tif 000004
【図３】
2015189081.tif 000005
【図４】
2015189081.tif 000006
【図５】
2015189081.tif 000007
【図６】
2015189081.tif 000008
【図７】
2015189081.tif 000009
【図８】
2015189081.tif 000010
【図９】
2015189081.tif 000011
【図１０】
2015189081.tif 000012
【図１１】
2015189081.tif 000013
【図１２】
2015189081.tif 000014
【図１３】
2015189081.tif 000015
【図１４】
2015189081.tif 000016
【図１５】
2015189081.tif 000017
【図１６】
2015189081.tif 000018
【図１７】
2015189081.tif 000019
【図１８】
2015189081.tif 000020
【図１９】
2015189081.tif 000021